(57)【要約】【課題】外接装置を快速連結できる固定ネジの提供。【解決手段】コンクリート壁その他の建材壁板に孔の施工孔にねじ込まれる固定ネジとされ、固定ネジの外表面に雄ネジが設けられ、本体内部に軸方向の貫通孔があり、該軸方向の貫通孔の後端に締めつけ工具の施力に供される作用区が設けられ、該作用区に隣接する中段がテーパ角度を具えた限位孔部とされ、その内径が前方に向けて漸増し、且つ該限位孔部の前端に比較的大きな孔径の前孔部が設けられ、該前孔部内にバネが収容され、プラグで塞がれ、バネの弾出が防止され、この構造により固定ネジが施工孔にねじ込まれた後に、外接ボルトを速やかにねじ込み外接装置を連結するのに供される。【選択図】        図２
2005003010.tif 000002
【特許請求の範囲】
【請求項１】
固定ネジの外表面に雄ネジが設けられ、固定ネジの本体内部に軸方向の貫通孔があり、該軸方向の貫通孔の後端に締めつけ工具の施力に供される作用区が設けられた、外接装置を快速連結できる固定ネジにおいて、
該作用区に隣接する中段がテーパ角度を具えた限位孔部とされ、その内径が前方に向けて漸増し、且つ該限位孔部の前端に比較的大きな孔径の前孔部が設けられ、該前孔部内にバネが収容され、プラグで塞がれてバネの弾出が防止され、この構造により固定ネジが施工孔にねじ込まれた後に、外接ボルトをその雄ネジ部を以て速やかに挿入し螺接させて外接装置を連結することができることを特徴とする、外接装置を快速連結できる固定ネジ。
【請求項２】
請求項１記載の外接装置を快速連結できる固定ネジにおいて、バネの後段がピッチが密である複数周の線体とされ、前段がピッチが粗である複数周の線体とされたことを特徴とする、外接装置を快速連結できる固定ネジ。
【請求項３】
請求項２記載の外接装置を快速連結できる固定ネジにおいて、バネの最小内孔内径が外接ボルトの雄ネジ部外径より僅かに大きいことを特徴とする、外接装置を快速連結できる固定ネジ。
【請求項４】
請求項３記載の外接装置を快速連結できる固定ネジにおいて、バネの各周の線体のピッチが外接ボルトの雄ネジ部のネジのピッチと相互に噛み合うよう設けられたことを特徴とする、外接装置を快速連結できる固定ネジ。
【請求項５】
請求項１記載の外接装置を快速連結できる固定ネジにおいて、プラグに穿孔が設けられたことを特徴とする、外接装置を快速連結できる固定ネジ。
【請求項６】
請求項５記載の外接装置を快速連結できる固定ネジにおいて、プラグの一端にフランジが設けられたことを特徴とする、外接装置を快速連結できる固定ネジ。
【発明の詳細な説明】
【０００１】
【発明の属する技術分野】
本発明は一種の外接装置を快速連結できる固定ネジに係り、特にコンクリート壁その他の建材壁板に孔の施工孔にねじ込まれる固定ネジとされ、固定ネジが施工孔にねじ込まれた後に、外接ボルトを速やかにねじ込み外接装置を連結するのに供される、固定ネジに関する。
【０００２】
【従来の技術】
図１に示されるように、周知の固定ネジ１は、その外表面に雄ネジ１１が設けられ、本体１０の内部に軸方向の貫通孔１２があり、該軸方向の貫通孔１２の後端に締めつけ工具の施力に供される作用区１２１があり、作用区１２１の中段が雌ネジを具えた雌ネジ部１２２とされ、且つ該雌ネジ部１２２の前端が比較的大きな孔径の前孔部１２３に連接され、この構造により、固定ネジ１が施工孔２１内にねじ込まれた時（図３）、膨張現象を発生せず、ゆえに壁の破裂を発生せず、ゆえに外接ボルト３が外接装置４を貫通した後に、固定ネジ１の雌ネジ部１２２にねじ込まれることにより、外接装置４と壁板２間の連結が完成する。この固定ネジ１は施工上、不便なところがあり、即ち、外接ボルト３のネジ部３１と固定ネジ１の雌ネジ部１２２の螺合が、締めつけ工具を一周ずつ回して締めつける操作により達成され、施工上、十分に時間と手間がかかる。
【０００３】
【発明が解決しようとする課題】
本発明は、従来の技術の欠点を解決する外接装置を快速連結できる固定ネジを提供することを課題とし、それは、固定ネジの本体内の軸方向の貫通孔の限位孔部により、収容したバネに対する単方向限位を形成し、外接ボルトを快速挿入できるようにし、これにより外接装置の快速連結が行なえるようにした固定ネジであるものとする。
【０００４】
【課題を解決するための手段】
請求項１の発明は、固定ネジの外表面に雄ネジが設けられ、固定ネジの本体内部に軸方向の貫通孔があり、該軸方向の貫通孔の後端に締めつけ工具の施力に供される作用区が設けられた、外接装置を快速連結できる固定ネジにおいて、
該作用区に隣接する中段がテーパ角度を具えた限位孔部とされ、その内径が前方に向けて漸増し、且つ該限位孔部の前端に比較的大きな孔径の前孔部が設けられ、該前孔部内にバネが収容され、プラグで塞がれてバネの弾出が防止され、この構造により固定ネジが施工孔にねじ込まれた後に、外接ボルトをその雄ネジ部を以て速やかに挿入し螺接させて外接装置を連結することができることを特徴とする、外接装置を快速連結できる固定ネジとしている。
請求項２の発明は、請求項１記載の外接装置を快速連結できる固定ネジにおいて、バネの後段がピッチが密である複数周の線体とされ、前段がピッチが粗である複数周の線体とされたことを特徴とする、外接装置を快速連結できる固定ネジとしている。
請求項３の発明は、請求項２記載の外接装置を快速連結できる固定ネジにおいて、バネの最小内孔内径が外接ボルトの雄ネジ部外径より僅かに大きいことを特徴とする、外接装置を快速連結できる固定ネジとしている。
請求項４の発明は、請求項３記載の外接装置を快速連結できる固定ネジにおいて、バネの各周の線体のピッチが外接ボルトの雄ネジ部のネジのピッチと相互に噛み合うよう設けられたことを特徴とする、外接装置を快速連結できる固定ネジとしている。
請求項５の発明は、請求項１記載の外接装置を快速連結できる固定ネジにおいて、プラグに穿孔が設けられたことを特徴とする、外接装置を快速連結できる固定ネジとしている。
請求項６の発明は、請求項５記載の外接装置を快速連結できる固定ネジにおいて、プラグの一端にフランジが設けられたことを特徴とする、外接装置を快速連結できる固定ネジとしている。
【０００５】
【発明の実施の形態】
本発明によると、固定ネジの外表面に雄ネジが設けられ、本体内部に軸方向の貫通孔があり、該軸方向の貫通孔の後端に締めつけ工具の施力に供される作用区が設けられ、該作用区に隣接する中段がテーパ角度を具えた限位孔部とされ、その内径が前方に向けて漸増し、且つ該限位孔部の前端に比較的大きな孔径の前孔部が設けられ、該前孔部内にバネが収容され、プラグで塞がれ、バネの弾出が防止され、この構造により固定ネジが施工孔にねじ込まれた後に、外接ボルトを速やかにねじ込み外接装置を連結するのに供される。
【０００６】
【実施例】
上述の発明の目的を達成するため、本発明の実施方式は、図３から図６に示されるようであり、固定ネジ５の外表面に雄ネジ５１が設けられ、本体５０内部に軸方向の貫通孔５２があり、該軸方向の貫通孔５２の後端に締めつけ工具（六角スパナ、スナパ等の工具）の施力に供される作用区５２１が設けられ、該作用区５２１に隣接する中段がテーパ角度を具えた限位孔部５２２とされ、その内径が前方に向けて漸増し、且つ該限位孔部５２２の前端に比較的大きな孔径の前孔部５２３が設けられ、該前孔部５２３内にバネ５３が収容され、該バネ５３の後部５３１がピッチが密である複数周（約２〜３周）の線体とされ、該前部５３２がピッチが疎である複数周（約２〜３周）の線体とされ、該バネ５３の最小の内孔５３０の孔径が外接ボルト６の雄ネジ部６１のネジ部外径よりやや大きく、並びに該バネ５３の前部５３２の内径が漸増され、該バネ５３のピッチが外接ボルト６の雄ネジ部６１のピッチと噛み合うものとされる。これにより外接ボルト６が回転する時に、バネ５３が一般の雌ネジの如くその前進と後退を案内する。また、該バネ５３が軸方向の貫通孔５２より脱出するのを防止するため、穿孔５４１と一端にフランジ５４２を具えたプラグ５４が緊密に軸方向の貫通孔５２の前孔部５２３に挿入され、これによりバネ５３の脱出が防止される（プラグ５４はプラスチックで形成され、緊密に前孔部５２３を塞ぐ）。
【０００７】
施工時、締めつけ工具で本発明の固定ネジ５を壁体７内にねじ込み、さらに外接ボルト６を外接装置８の穿孔８１に通してから、その雄ネジ部６１の前端を強力にバネ５３の内孔５３０に押し込む。バネ５３自身は外力を受ける時に適度な変形を発生し、孔径が大きく変化し、且つその後部５３１の内孔５３０が漸増するため、外接ボルト６の雄ネジ部６１の快速挿入に有利である（図５参照）。ゆえに、外接ボルト６の雄ネジ部６１が挿入位置決めされた後にゆるんで脱出することがなく、その理由はバネ５３の前部５３２が限位孔部５２２の緊迫を受けて単方向限位を形成する（図６）ためであり、もし後退させたい場合は、一般のネジと同様、回してゆるめればよい。ゆえに、本発明は外接ボルト６の快速挿入、位置決め機能を提供し、退出させる時はネジの嵌め合いの効果を有する。
【０００８】
外接ボルト６の後端にはワッシャ６３が套設されると共に、締めつけ区愚の施力に供される作用区６２が設けられ、該作用区は多角形のナット或いは内多角形孔とされ、各種の締めつけ工具（例えばスパナ或いは６角スパナ）に適合するものとされる。
【０００９】
【発明の効果】
総合すると、本発明により、固定ボルトに快速に外接装置を壁に連結させることができ、施工品質とコストを有効に高めることができる。
【図面の簡単な説明】
【図１】周知の固定ネジの断面図である。
【図２】周知の固定ネジの実施例図である。
【図３】本発明の分解斜視図である。
【図４】本発明の固定ネジの断面図である。
【図５】本発明の動作表示図である。
【図６】本発明の動作表示図である。
【符号の説明】
１  固定ネジ          １０  本体
１１  雄ネジ          １２  軸方向の貫通孔
１２１  作用区        １２２  雌ネジ部
１２３  前孔部
２  壁体              ２１  施工孔
３  外接ボルト        ４  外接装置
５  固定ネジ          ５０  本体
５１  雄ネジ          ５２  軸方向の貫通孔
５２１  作用区        ５２２  限位孔部
５２３  前孔部        ５３  バネ
５４１  穿孔          ５４２  フランジ
６  外接ボルト        ６１  雄ネジ部
６２  作用区
７  壁体              ７１  施工孔
８  外接装置          ８１  穿孔
【図１】
2005003010.tif 000003
【図２】
2005003010.tif 000004
【図３】
2005003010.tif 000005
【図４】
2005003010.tif 000006
【図５】
2005003010.tif 000007
【図６】
2005003010.tif 000008